(57)【要約】【課題】  送受話器載置台の位置の変更を容易に行えるようにし使い勝手を向上させる。【解決手段】  電話装置１は、互いに分離され連結部材１５によって連結されたダイヤル操作部３が設けられた電話機本体２と、送受話器が載置される送受話器載置台４とによって構成されている。電話機本体２の底部９と送受話器載置台４の底部１２とのそれぞれには、連結部材１５を収納する溝１０，１３が設けられている。連結部材１５の一端部１６は軸１８を介して電話機本体２に枢着され、連結部材１５の他端部１７には、軸１９を介して送受話器載置台４が枢着されている。【選択図】  図４
2006186729.tif 000002
【特許請求の範囲】
【請求項１】
ダイヤル操作部が設けられた電話機本体と送受話器を載置する送受話器載置台とが分離された電話装置において、
前記電話機本体と前記送受話器載置台とを連結する連結部材を備え、
前記電話機本体と前記送受話器載置台との底部に前記連結部材を収納する溝を設け、
前記連結部材の一端部を前記電話機本体に枢着し、前記連結部材の他端部に前記送受話器載置台を枢着したことを特徴とする電話装置。
【発明の詳細な説明】
【技術分野】
【０００１】
本発明は、送受話器を載置する送受話器載置台とダイヤル操作部が設けられた電話機本体とが分離された電話装置に関するものである。
【背景技術】
【０００２】
この種の電話装置において、利き手が右利きの利用者と左利きの利用者の両者の使い勝手を考慮して、送受話器を電話機本体の右側に載置したり、左側に載置することができる電話装置が要望されていた。すなわち、送受話器を載置する送受話器載置台とダイヤル操作部が設けられた電話機本体とが分離され、これらを連結する連結板を備え、連結板が送受話器載置台の底部およびダイヤル操作部の底部のそれぞれに跨って着脱自在に取り付けられており、連結板を着脱することにより送受話器載置台を電話機本体の左右に選択的に配置できるようにしたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平６−１６４６９０号公報（段落「００６１」〜「００６４」、図５）
【発明の開示】
【発明が解決しようとする課題】
【０００３】
上述した従来の電話装置においては、送受話器載置台を電話機本体の左右に選択的に配置するために、連結板を送受話器載置台の底部と電話機本体の底部のそれぞれから取り外し、再び送受話器載置台の底部と電話機本体の底部のそれぞれに取り付け直さなければならない。このため利き手が異なる利用者が変わるたびに着脱作業を行わなければならず、手間がかかり使い勝手が悪いという問題があった。
【０００４】
本発明は上記した従来の問題に鑑みなされたものであり、その目的とするところは、送受話器載置台の位置の変更を容易に行えるようにし使い勝手を向上させることにある。
【課題を解決するための手段】
【０００５】
この目的を達成するために、請求項１に係る発明は、ダイヤル操作部が設けられた電話機本体と送受話器を載置する送受話器載置台とが分離された電話装置において、前記電話機本体と前記送受話器載置台とを連結する連結部材を備え、前記電話機本体と前記送受話器載置台との底部に前記連結部材を収納する溝を設け、前記連結部材の一端部を前記電話機本体に枢着し、前記連結部材の他端部に前記送受話器載置台を枢着したものである。
【発明の効果】
【０００６】
本発明によれば、電話機本体に対する送受話器載置台の位置を変更する場合は、先ず、連結部材の一端部を電話機本体に対して回動させ、電話機本体に対する送受話器載置台の左右の位置を変更し、次に連結部材の他端部に対して送受話器載置台を１８０°回動させることにより行える。したがって、従来のように連結部材を電話機本体および送受話器載置台から取り外したり、取り付け直す必要がないため、変更が容易になり使い勝手が向上する。
【発明を実施するための最良の形態】
【０００７】
以下、本発明の実施の形態を図に基づいて説明する。図１は本発明に係る電話装置を示し、同図（Ａ）は平面図、同図（Ｂ）は同図（Ａ）における I（Ｂ）矢視図、図２（Ａ）は図１（Ａ）におけるII（Ａ）矢視図、同図（Ｂ）は同図（Ａ）におけるII（Ｂ）矢視図である。図３ないし図６は同じく電話機本体に対する送受話器載置台の左右の位置を変更する方法を説明するための図で、図３は変更する前の状態を示し、同図（Ａ）は平面図、同図（Ｂ）は同図（Ａ）における III（Ｂ）矢視図、図４は電話機本体に対して連結部材を９０°回動させた状態を示し、同図（Ａ）は平面図、同図（Ｂ）は同図（Ａ）におけるIV（Ｂ）矢視図、図５は電話機本体に対して連結部材を１８０°回動させた状態を示し、同図（Ａ）は平面図、同図（Ｂ）は同図（Ａ）における V（Ｂ）矢視図、図６は連結部材に対して送受話器載置台を１８０°回動させて、電話機本体に対する送受話器載置台の左右の位置の変更が終了した状態を示し、同図（Ａ）は平面図、同図（Ｂ）は同図（Ａ）におけるVI（Ｂ）矢視図である。
【０００８】
図１に全体を符号１で示す電話装置は、ダイヤル操作部３が設けられた電話機本体２と送受話器５が載置される送受話器載置台４とによって構成されており、これら電話機本体２と送受話器載置台４とは互いに左右（図中矢印Ａ−Ｂ）方向に並設されるようにして分離されている。
【０００９】
電話機本体２のダイヤル操作部３には、マトリックス状に配列された複数のダイヤルボタン６と、複数種の機能ボタン７とが設けられており、ダイヤル操作部３の上部側には、ダイヤル発信番号や通話時間等を表示する表示部８が設けられている。送受話器載置台５の上側には、矢印Ｃ側端部に送受話器５の送話部５ａが載置される送話用凹部４ａが設けられ、矢印Ｄ側端部に送受話器５の受話部５ｂが載置される受話用凹部４ｂが設けられている。
【００１０】
電話機本体２の底部９の矢印Ｃ−Ｄ方向の中央部には、図２（Ｂ）に示すように、電話機本体２の幅（矢印Ａ−Ｂ）方向全体にわたって延在する溝１０が設けられている。この溝１０の矢印Ａ−Ｂ方向の中央部に対応して、電話機本体２の底部９の内側には、溝１０を挟むように互いに対向する一対の支持壁１１，１１が一体に立設されている。
【００１１】
送受話器載置台４の底部１２の矢印Ｃ−Ｄ方向の中央部には、送受話器載置台４の幅（矢印Ａ−Ｂ）方向全体にわたって延在する溝１３が設けられている。この溝１３の矢印Ａ−Ｂ方向の中央部に対応して、送受話器載置台４の底部１２の内側には、溝１３を挟むように互いに対向する一対の支持壁１４，１４が一体に立設されている。
【００１２】
１５は細長い棒状に形成された連結部材であって、上記した電話機本体２の溝１０と送受話器載置台４の溝１３に跨って、これら両溝１０，１３に収納されるようにして設けられている。この連結部材１５の矢印Ｂ方向の端部１６は、支持壁１１，１１間に横架され溝１０を横切る軸１８を介して電話機本体２に枢着されている。また、この連結部材１５の矢印Ａ方向の端部１７には、支持壁１４，１４間に横架され溝１３を横切る軸１９を介して送受話器載置台４が枢着されている。
【００１３】
次に、図３ないし図６を用いて、このような構成の電話装置において、電話機本体に対する送受話器載置台の左右の位置を変更する方法を説明する。図３は、電話機本体２に対して送受話器載置台４が図中左側に位置付けられて、電話装置１が机２０等に載置されて使用される状態を示している。
【００１４】
この状態から、電話装置１を机２０から持ち上げ、机２０による電話機本体２の底部９と送受話器載置台４の底部１２との支承状態を解放する。上述したように、連結部材１５の矢印Ｂ方向の端部１６が軸１８を介して電話機本体２に枢着されているから、この連結部材１５を軸１８を中心として図中反時計方向へ９０°回動させることにより、図４に示すように、送受話器載置台４を電話機本体２の下方に位置付ける。
【００１５】
さらに、連結部材１５を軸１８を中心として反時計方向へ９０°回動させることにより、図５に示すように、送受話器載置台４を電話機本体２の右側に位置付ける。上述したように、送受話器載置台４が連結部材１５の矢印Ａ方向の端部１７に軸１９を介して枢着されているから、送受話器載置台４を連結部材１５の矢印Ａ方向の端部１７に対して軸１９を中心として反時計方向へ１８０°回動させることにより、図６に示すように送受話器載置台４の送話用凹部４ａおよび受話用凹部４ｂを上方に指向させる。この状態で、電話装置１を机２０に載置することにより、机２０によって電話機本体２の底部９と送受話器載置台４の底部１２とが支承され、送受話器載置台４が電話機本体２に対して右側に位置した状態に変更される。
【００１６】
このように、利用者の利き手に対応させて電話機本体２に対する送受話器載置台４の左右の位置を変更する場合は、先ず、連結部材１５の一端部１６を軸１８を中心として電話機本体２に対して回動させ、電話機本体２に対する送受話器載置台４の左右の位置を変更し、次に連結部材１５の他端部１７に対して送受話器載置台４を軸１９を中心として１８０°回動させることにより行える。したがって、従来のように連結部材１５を電話機本体２および送受話器載置台４から取り外したり、取り付け直す必要がないため、変更が容易になり使い勝手が向上する。
【００１７】
なお、本実施の形態においては、送受話器載置台４を電話機本体２の左右に位置付ける例を説明したが、電話機本体２の上下に位置付けるようにしてもよい。また、連結部材１５を回動させる動作と送受話器載置台４を回動させる動作を個別に行うようにしたが、同時に行うようにしてもよい。
【図面の簡単な説明】
【００１８】
【図１】本発明に係る電話装置を示し、同図（Ａ）は平面図、同図（Ｂ）は同図（Ａ）における I（Ｂ）矢視図である。
【図２】同図（Ａ）は図１（Ａ）におけるII（Ａ）矢視図、同図（Ｂ）は同図（Ａ）におけるII（Ｂ）矢視図である。
【図３】本発明に係る電話装置において、電話機本体に対する送受話器載置台の左右の位置を変更する方法を説明するための図で、変更する前の状態を示し、同図（Ａ）は平面図、同図（Ｂ）は同図（Ａ）における III（Ｂ）矢視図である。
【図４】本発明に係る電話装置において、電話機本体に対する送受話器載置台の左右の位置を変更する方法を説明するための図で、電話機本体に対して連結部材を９０°回動させた状態を示し、同図（Ａ）は平面図、同図（Ｂ）は同図（Ａ）におけるIV（Ｂ）矢視図である。
【図５】本発明に係る電話装置において、電話機本体に対する送受話器載置台の左右の位置を変更する方法を説明するための図で、電話機本体に対して連結部材を１８０°回動させた状態を示し、同図（Ａ）は平面図、同図（Ｂ）は同図（Ａ）における V（Ｂ）矢視図である。
【図６】本発明に係る電話装置において、電話機本体に対する送受話器載置台の左右の位置を変更する方法を説明するための図で、連結部材に対して送受話器載置台を１８０°回動させて、電話機本体に対する送受話器載置台の左右の位置の変更が終了した状態を示し、同図（Ａ）は平面図、同図（Ｂ）は同図（Ａ）におけるVI（Ｂ）矢視図である。
【符号の説明】
【００１９】
１…電話装置、２…電話機本体、３…ダイヤル操作部、４…送受話器載置台、５…送受話器、６…ダイヤルボタン、９，１２…底部、１０，１３…溝、１５…連結部材、１８，１９…軸、２０…机。
【図１】
2006186729.tif 000003
【図２】
2006186729.tif 000004
【図３】
2006186729.tif 000005
【図４】
2006186729.tif 000006
【図５】
2006186729.tif 000007
【図６】
2006186729.tif 000008